(57)【要約】【課題】トイレの便器に十分な撥水性、洗浄性及び抗菌性を付与し得る、トイレ用撥水性洗浄剤組成物を提供する。【解決手段】シリコーンを含む撥水剤成分と、イソプロピルアルコールを含む溶剤と、アルキルポリグルコシドを含む界面活性剤と、銀イオン水と、水と、を含むことを特徴とする液体のトイレ用撥水性洗浄剤組成物。【選択図】なし【特許請求の範囲】
【請求項１】
シリコーンを含む撥水剤成分と、イソプロピルアルコールを含む溶剤と、アルキルポリグルコシドを含む界面活性剤と、銀イオン水と、水と、を含むことを特徴とする液体のトイレ用撥水性洗浄剤組成物。
【請求項２】
前記シリコーンがアミノ変性シリコーン及びジメチルシリコーンを含むことを特徴とする請求項１に記載のトイレ用撥水性洗浄剤組成物。
【請求項３】
グリシンを含む水軟化剤を含むことを特徴とする請求項１又は２に記載のトイレ用撥水性洗浄剤組成物。
【請求項４】
ｐＨが４．７〜５．７であることを特徴とする請求項１〜３のうちのいずれかに記載のトイレ用撥水性洗浄剤組成物。
【発明の詳細な説明】
【技術分野】
【０００１】
本発明はトイレの便器を清潔に保つための撥水性洗浄剤組成物に関する。
【背景技術】
【０００２】
従来から、トイレの便器を清潔に保つために種々の方法が提案されており、例えばコーティング剤をエアゾールやポンプを用いて処理する方法が知られているが、この方法では、便器の見える部分のみしか処理されず、また作業に手間がかかるという欠点があった。つまり、便器の隠れた部位、トイレ水タンク内面、配管内面等を処理することはできず、いくら便器をコーティングしても、これらの処理されていない部位の汚れがフラッシングによる流水ですぐに汚れるため、度々クリーニングやコーティング剤での処理をする必要があった。
【０００３】
これに対し、例えば特許文献１（特開２００２−８８３１３号公報）においては、効率的かつ簡便に便器等の汚れの付着等を防ぐことができ、さらにこの防汚性を長期にわたり良好に維持できるトイレ用固形コーティング剤およびそれを用いた便器等の撥水コーティング方法を提供することを目的とした発明が提案されている。即ち、上記特許文献１においては、「放水タップからの水及びトイレ水タンク中の水に分散又は溶解でき、前記水に分散又は溶解した状態で撥水性を固体表面に付与できる化合物を有効成分として含有することを特徴とするトイレ用固形コーティング剤。」が提案されている。
【先行技術文献】
【特許文献】
【０００４】
【特許文献１】特開２００２−８８３１３号公報
【発明の概要】
【発明が解決しようとする課題】
【０００５】
しかしながら、上記特許文献１において提案されているトイレ用固形コーティング剤は、固形であることから、「水に分散又は溶解した状態で撥水性を固体表面に付与できる化合物」を、放水タップからの水及びトイレ水タンク中の水で分散又は溶解させることができず、撥水性を付与する化合物を十分には供給できないことから、トイレの便器に十分な撥水性を付与できない。また、防汚性については触れられているが、洗浄性及び抗菌性については触れられていない。そこで、本発明の目的は、上記のような従来技術の問題点に鑑み、トイレの便器に十分な撥水性、洗浄性及び抗菌性を付与し得る、トイレ用撥水性洗浄剤組成物を提供することにある。
【課題を解決するための手段】
【０００６】
上記の目的を達成すべく、本発明者らが鋭意実験を繰り返して検討を行った結果、トイレの便器に十分な撥水性、洗浄性及び抗菌性を付与し得る、トイレ用撥水性洗浄剤組成物を提供するためには、従来とは異なり、特定の成分を混合した液体ベースの処方を採用することが好適であることを見出し、本発明を完成するに至った。即ち、本発明は、シリコーンを含む撥水剤成分と、イソプロピルアルコールを含む溶剤と、アルキルポリグルコシドを含む界面活性剤と、銀イオン水と、水と、を含むことを特徴とする液体のトイレ用撥水性洗浄剤組成物を提供する。
【０００７】
このような構成を有する本発明のトイレ用撥水性洗浄剤組成物によれば、シリコーン、アルキルポリグルコシド及び銀イオン水によりそれぞれ撥水性、洗浄性及び抗菌性をバランスよく付与でき、特に液体であることから、トイレの便器に直接かつ強力にこれら撥水性、洗浄性及び抗菌性を付与することができる。
【０００８】
上記の本発明のトイレ用撥水性洗浄剤組成物においては、前記シリコーンがアミノ変性シリコーン及びジメチルシリコーンを含むことが好ましい。このような構成によれば、アミノ変性シリコーンのアミノ基によって溶解性が向上し、ジメチルシリコーンとの組合せにより、当該溶解性が安定する。
【０００９】
また、上記の本発明のトイレ用撥水性洗浄剤組成物は、更にグリシンを含む水軟化剤を含むことが好ましい。このような構成によれば、グリシンがトイレの便器の表面等においてキレート化し、これにより、水垢の付着を好適に抑制することができる。
【００１０】
また、上記の本発明のトイレ用撥水性洗浄剤は、ｐＨが４．７〜５．７（弱酸性）であることが好ましい。このような構成によれば、尿石による汚れを容易に洗浄可能としつつ、本発明のトイレ用撥水性洗浄剤組成物を収容する容器の腐食や破裂を確実に防ぐことができる。
【発明の効果】
【００１１】
本発明によれば、トイレの便器に十分な撥水性、洗浄性及び抗菌性を付与し得る、トイレ用撥水性洗浄剤組成物を提供することができる。
【発明を実施するための形態】
【００１２】
以下、本発明のトイレ用撥水性洗浄剤の代表的な実施形態について詳細に説明する。本実施形態のトイレ用撥水性洗浄剤は、液体で、シリコーンを含む撥水剤成分と、イソプロピルアルコールを含む溶剤と、アルキルポリグルコシドを含む界面活性剤と、銀イオン水と、水と、を含むことを特徴とする。
【００１３】
１．各成分について
（１）撥水剤成分
シリコーンを含む撥水剤成分は、トイレの便器に触れた場合に撥水性のコーティング膜を形成し得るものであり、種々のシリコーンを用いることができる。したがって、トイレの便器（陶器乃至はセラミックス）の表面に対して吸着性を示す基（吸着性基）を側鎖及び／又は末端に有するシリコーンを例示できる。かかる吸着性基としては、アミノ基（−ＮＨ２基）、シラン基（−ＳｉＨ３基）、ポリエーテル基（−（Ｃ２Ｈ４Ｏ）ａ（Ｃ３Ｈ６Ｏ）ｂＲ基）等を挙げることができ、その吸着性を示す基は、シリコーンの側鎖、両末端、片末端、側鎖と両末端の両方に導入することができる。
【００１４】
かかる吸着性基を有するシリコーンとしては、具体的には、例えば、アミノ変性シリコーン、シラン変性シリコーン、フッ素ポリエーテル共変性シリコーン等が挙げられる。これらのシリコーンには、吸着性を示す基以外にも、アルコキシ基等の他の有機基を有していてもよい。また、シリコーンの骨格は、オルガノポリシロキサンであり、直鎖状ジオルガノポリシロキサンが好ましい。さらに、液状のシリコーンが好ましい。
【００１５】
このような変性シリコーンとしては、市販品として入手可能である。例えば、ＳＬＪ１３５８、ＳＬＪ１５０８Ｍ、Ｌ６５６、ＷＲ１３００、ＷＲ１１００、ＷＲ１６００、ＷＴ１２５０、ＷＴ１６５０（以上、ワッカーケミカルズ社製）、ＫＭ９０７、ＫＦ−３９３、ＫＦ−８５７、ＫＦ−８５８、ＫＦ−８５９、ＫＦ−８６０、ＫＦ−８６１、ＫＦ−８６２、ＫＦ−８６４、ＫＦ−８６５、ＫＦ−８６７、ＫＦ−８６８、ＫＦ−８６９、ＫＦ−８８０、ＫＦ−８００１、ＫＦ−８００２、ＫＦ−８００３、ＫＦ−８００４、ＫＦ−８００５、ＫＦ−８０１２、Ｘ−２２−１６１ＡＳ、Ｘ−２２−１６１Ａ、Ｘ−２２−１６１Ｂ、Ｘ−２２−３９３９Ａ（以上、信越化学工業（株）製）、ＢＹ１６−８９１（東レダウ・コーニング（株）製）等が挙げられる。また、分子の末端にシラン基を有するシリコーンとしては、例えば、ＫＰＮ−３５０４（信越化学工業（株）製）が挙げられる。フッ素ポリエーテル共変性シリコーンとしては、例えば、ＦＰＤ−４６６８（信越化学工業（株）製）が挙げられる。
【００１６】
ここで、上記したように、前記シリコーンがアミノ変性シリコーン及びジメチルシリコーンを含むことが好ましい。このような構成によれば、アミノ変性シリコーンのアミノ基によって溶解性が向上し、ジメチルシリコーンとの組合せにより、当該溶解性が安定し、安定的にトイレの便器に撥水性を付与することができる。
【００１７】
（２）溶剤
本発明のトイレ用洗浄剤組成物は、イソプロピルアルコールを含む溶剤を含んでいる。このイソプロピルアルコールを主成分とする溶剤は、上記の撥水剤成分の安定性を向上させる作用効果を奏する。本発明のトイレ用洗浄剤組成物の溶剤は、本発明の効果を損なわない範囲でイソプロピルアルコール以外の溶剤を含んでもよい。その他の溶剤としては、例えば、イソパラフィン（脂肪族炭化水素）、ブチルセロソルブ（エチレングリコールモノ−ノルマル−ブチルエーテル）の他、以下のものが挙げられる。
【００１８】
アルコール系溶剤：メチルアルコール、エチルアルコール、１−プロピルアルコール、ブチルアルコール、２−ｔｅｒｔ−ブチルアルコール、イソブチルアルコール、３−ｔｅｒｔ−ブチルアルコール、ｎ−３−メトキシ−３−メチル−１−ブタノール、アミルアルコール、２−ペンタノール、３−ペンタノール、２−メチル−１−ブタノール、１−ヘキサノール、２−メチル−１−ペンタノール、４−メチル−２−ペンタノール、２−ヘプタノール、３，５，５−トリメチル−１−ヘキサノール、１−デカノール、ベンジルアルコール、１，２−プロパンジオール、グリセリン等が挙げられる。
【００１９】
２以上の官能基を持つアルコール系溶剤：２−メトキシエタノール、２−エトキシエタノール、２−（メトキシメトキシ）エタノール、２−ブトキシエタノール、２−（イソペンチルオキシ）エタノール、２−フェノキシエタノール、ジエチレングリコール、ジエチレングリコールモノエチルエーテル、ポリエチレングリコール、１−メトキシ−２−プロパノール、プロピレングリコール、ジプロピレングリコール、ジプロピレングリコールモノメチルエーテル、ジアセトアルール、トリエタノールアミン、３−メチル−３−メトキシブタノール等が挙げられる。
【００２０】
その他の溶剤：脂肪族炭化水素、脂環式炭化水素、芳香族炭化水素、ハロゲン化炭化水素、エステル、エーテル及びケトン等の溶剤。
【００２１】
その他の溶剤においては、なかでも脂肪族炭化水素が好適に使用される。脂肪族炭化水素を主成分とする市販の溶剤としては、例えば、パインオイル、０号ソルベントＬ（日本石油（株）製）、０号ソルベントＨ（日本石油（株）製）、０号ソルベントＭ（日本石油（株）製）、ノルマルパラフィンＳＨ−ＮＰ（日本石油（株）製）、デオトミゾールＡ−１（吉富製薬（株）製）、ＩＰソルベント１６２０（出光石油化学（株）製）、ＩＰソルベント１０１６（出光石油化学（株）製）、ネオチオゾール（三光化学工業（株）製）等が挙げられる。
【００２２】
（３）界面活性剤
次に、アルキルポリグルコシドを含む界面活性剤について説明する。この界面活性剤は主成分としてアルキルポリグルコシドを含み洗浄及び発泡という作用効果を奏するものである。界面活性剤は、本発明の効果を損なわない範囲でその他の成分として以下の化合物を含んでもよい。
【００２３】
その他の化合物としては、例えば、フッ素化アルキルＰＯＥ（ポリオキシエチレン）エステル、フッ素化アルキル親水性基含有オリゴマー、フッ素化アルキルエステル付加重合物等のフッ素系両親媒性物質；ミリスチン酸、ステアリン酸、パルミチン酸、ベヘニン酸、オレイン酸等の高級脂肪酸；カリウム、ナトリウム、モノエタノールアミン、ジエタノールアミン、トリエタノールアミン、アミノメチルプロパノールアミン酸等の塩；エーテルカルボン酸の上記アルカリ塩；高級アルキルスルホン酸塩等のアニオン系界面活性剤；ＰＯＥオクチルドデシルアルコール、ＰＯＥ−２−デシルテトラデシルアルコール等のＰＯＥ分岐アルキルエーテル；ＰＯＥオレイルアルコールエーテル、ＰＯＥベヘニルアルコールエーテル、ＰＯＥステアリルアルコールエーテル、ＰＯＥセチルアルコールエーテル等のＰＯＥアルキルエーテル；ポリオキシプロピレン（ＰＯＰ）−ＰＯＥブロックコポリマー；ソルビタンモノオレート、ソルビタンモノイソステアレート、ソルビタンモノラウレート等のソルビタンエステル；ＰＯＥソルビタンモノオレート、ＰＯＥソルビタンモノイソステアレート、ＰＯＥソルビタンモノラウレート等のＰＯＥソルビタンエステル；グリセリルモノオレート、グリセリルモノステアレート、グリセリルモノミリステート等のグリセリン脂肪酸エステル；ＰＯＥグリセリルモノオレート、ＰＯＥグリセリルモノステアレート、ＰＯＥグリセリルモノミリステート等のＰＯＥグリセリン脂肪酸エステル；ＰＯＥジヒドロコレステロールエステル、ＰＯＥ硬化ヒマシ油、ＰＯＥ硬化ヒマシ油イソステアレート等のＰＯＥ硬化ヒマシ油脂肪酸エステル；ＰＯＥノニルフェニルエーテル、ＰＯＥオクチルフェニルエーテル等のＰＯＥアルキルフェニルエーテル；エチレングリコール・プロピレングリコールブロックポリマー、グリセリルイソステアリルエーテル、グリセリルミリスチルエーテル等のグリセリルエーテル；ＰＯＥグリセリルイソステアリルエーテル、ＰＯＥグリセリルミリスチルエーテル等のＰＯＥグリセリルエーテル；ジグリセリルモノステアレート、デカグリセリルデカステアレート、デカグリセリルペンタンイソステアレート、デカグリセリルデカイソステアレート、ジグリセリンジイソステアレート等のポリグリセリン脂肪酸エステル等のノニオン系界面活性剤；ステアリルトリメチルアンモニウムクロライド、ジステアリルジメチルアンモニウムクロライド、ジミリスチルジメチルアンモニウムクロライド、ステアリルベンジルジメチルアンモニウムクロライド、ジミリスチルジメチルアンモニウムメチルサルフェート等のカチオン系界面活性剤；ラウリルジメチルアミノ酢酸ベタイン、ステアリルジメチルアミノ酢酸ベタイン、２−アルキル−Ｎ−カルボキシメチル−Ｎ−ヒロドキシエチルイミダゾリニウムベタイン等の両性界面活性剤；ラウリルアミノプロピオン酸ナトリウム等のアミノ酸系界面活性剤、等が挙げられる。
【００２４】
（４）除菌剤成分（銀イオン水）
本発明のトイレ用洗浄剤組成物における銀イオン水とは、除菌剤成分である。かかる銀イオン水は、例えばポリオクチルポリアミノエチルグリシンや上記したポリオキシエチレンアルキルエーテル等を含んでいてもよい。銀イオン水は、例えば水道水を原料として銀電極に通電電解することにより得られる。また、市販のものとして、例えば（株）パーマケム・アジア製のパーマケムＡｇ＋１０等を用いることができる。
【００２５】
（５）任意成分
その他、本発明のトイレ用洗浄剤組成物は、グリシン等の水軟化剤、着色料、香料、更に目的に応じて、上記以外の酸性成分、殺菌剤・抗菌剤、ｐＨ調整剤、酵素、キレート剤、尿石除去剤、尿石溶解剤等を配合してもよい。
【００２６】
着色料としては、例えば、水溶性の法定色素が好ましく、赤色２号、赤色３号、赤色１０２号、赤色１０４号の（１）、赤色１０５号の（１）、赤色１０６号、黄色４号、黄色５号、青色１号、青色２号、緑色３号、赤色２０１号、赤色２０５号、赤色２１３号、赤色２１４号、赤色２１９号、赤色２２７号、赤色２３０号の（１）、赤色２３０号の（２）、赤色２３１号、赤色２３２号、橙色２０７号、黄色２０２号の（２）、黄色２０３号、緑色２０５号、青色２０２号、青色２０３号、青色２０５号、褐色２０１号、赤色４０１号、赤色２０５号、赤色５０３号、赤色５０４号、赤色５０６号、橙色４０２号、黄色４０２号、黄色４０３号の（１）、黄色４０６号、黄色４０７号、緑色４０１号、緑色４０２号、紫色４０１号、黒色４０１号などが挙げられる。これらを組み合わせて色々な色で用いてもよい。色素は、トイレ用撥水性洗浄剤組成物を継続使用する場合には、撥水効果の寿命を視覚的に認識できることから配合すべき添加剤といえる。
【００２７】
香料としては、例えば、レモン、オレンジ、ベルガモット、グレープフルーツ、ラベンダー、ローズマリー、ジャスミン、ローズ、ペパーミント、ユーカリ、ハーバル、ライム、ヒヤシンス、ライラック、マリン、ムスク、シダー、樟脳等から抽出した精油；リモネン、リナロール、リナロールアセテート、ボルネオール、シトラール、シトロネラール、メントール、シネオール等の香料が挙げられる。
【００２８】
酸性成分としては、例えば、蓚酸等の有機酸；スルファミン酸等の無機酸；重フッ化アンモニウム等の酸性塩；メタリン酸塩、オルトリン酸塩等のリン酸塩が挙げられる。殺菌剤・抗菌剤としては、サリチル酸、チアベンダゾール、安息香酸エステル、塩化ベンザルコニウム、塩化ベンゼトニウム、塩化セチルピリジニウム等が挙げられる。
【００２９】
また、ｐＨ調整剤としては、例えば、炭酸水素ナトリウム、炭酸ナトリウム、水酸化カルシウム、ケイ酸ナトリウム、酒石酸ナトリウム、酒石酸、酢酸、酢酸ナトリウム、グルコン酸ナトリウム等が挙げられ、酵素としては、プロテアーゼ、リパーゼ、アミラーゼ、ペクチナーゼ、セルラーゼ、リゾチーム、クエン酸ナトリウム、クエン酸等が挙げられる。
【００３０】
この他にも、無機塩類等の比重調節剤、ニトリロ三酢酸（ＮＴＡ）等のキレート剤、過炭酸ソーダ、過炭酸カリウム、過ホウ酸ナトリウム、エチレンジアミン四酢酸（ＥＤＴＡ）等の過酸化物等を配合してもよい。
【００３１】
２．各成分の配合割合等について
本発明のトイレ用撥水性洗浄剤組成物は、上記の（１）撥水剤成分、（２）溶剤、（３）界面活性剤、及び（４）銀イオン水を必須成分として含み、残部は水であればよい。この場合において、各成分の配合割合は、概ね以下の範囲であればよい。
【００３２】
（１）撥水剤成分    ４〜６重量％
（２）溶剤          ２３〜２８重量％  
（３）界面活性剤    ０．５〜１．５重量％
（４）銀イオン水    ０．０５〜０．１５重量％
銀イオン量（１０ＰＰＭ）の換算値では０．００００００５〜０．０００００１５重量％
【００３３】
より好ましい範囲。
（１）撥水剤成分    ４．４〜５．０重量％
（２）溶剤          ２３．８〜２６．５重量％
（３）界面活性剤    ０．８〜１．０重量％
（４）銀イオン水    ０．１重量％
【００３４】
また、上記の組成を有する本発明のトイレ用撥水性洗浄剤組成物は、ｐＨが５．２〜６．２の弱酸性である。このｐＨの範囲になるように、上記必須成分及び任意成分の配合割合を調整すればよい。ｐＨがこの範囲であれば、尿石による汚れを容易に洗浄可能としつつ、本発明のトイレ用撥水性洗浄剤組成物を収容する容器の種類を問わず当該容器の腐食や破裂を確実に防ぐことができる。なかでも、ｐＨは４．５〜６．２であるのが好ましい。
【００３５】
本発明のトイレ用撥水性洗浄剤組成物は液体であるため、これを使用する際には、水洗トイレ貯水タンクにそのまま投入すればよく、そうすることによって、貯水タンク内の水とともに便器の縁から便器内に流れ込むことから、トイレの便器は直接かつ十分に当該トイレ用撥水性洗浄剤組成物に曝され、確実に本発明の効果を得ることができる。
【００３６】
以上、本発明のトイレ用撥水性洗浄剤組成物について説明したが、本発明はこれらのみに限定されるものではなく、種々の設計変更が可能である。かかる設計変更後の組成物も、また、本発明の効果を奏する以上は本発明の技術的範囲に含まれる。以下、実施例を用いて本発明のトイレ用撥水性洗浄剤組成物をより詳細に説明する。
【実施例】
【００３７】
本発明のトイレ用撥水性洗浄剤組成物の効果を評価するため、下記の表１に示す成分・配合で本発明のトイレ用撥水性洗浄剤組成物を調製し、以下に説明する評価試験を行った。ただし、表１における成分の配合率の合計は１００重量％である。
【表１】
2017165829.tif 000002
【００３８】
［評価試験］
（ａ）撥水性
予めクレンザーを用いて洗浄した便器内に、上記のようにして得た本発明のトイレ用撥水性洗浄剤組成物をスプレーで噴霧し、ブラシで均一に擦って施工し、水洗した。ついで、貯水タンクから水を流し、貯水タンクを空にした状態で、上記のようにして得た本発明のトイレ用撥水性洗浄剤組成物を１００ミリリットル投入した。そして、貯水タンクを満水にし、再度便器内に水を流し、ブラシで均一に擦った。その後、便器表面の撥水性が何日間継続するのかを確認した。確認の方法としては、緑色の着色剤（緑３号）を便器に滴下し、「大」の水を流し、その後、目視により確認した。その結果、１日１０回の使用で、９日間撥水性が持続することを確認した。
【００３９】
（２）洗浄性
陶器タイルに人工水垢（成分：リン酸ナトリウム、塩化マグネシウム、たんぱく質）を塗布して乾燥させて試験片とした。この試験片を、水１３リットルに上記の本発明のトイレ用撥水性洗浄剤組成物を１００ミリリットルを混合して得た洗浄液に浸漬した。この状態で、超音波洗浄機を用いて５分間洗浄を行い、乾燥し、汚れの取れ具合を目視にて確認した。また、水を用いたものを対照試験として行った。その結果、本発明のトイレ用撥水性洗浄剤組成物を用いた洗浄液では、水垢汚れが綺麗に取れていたが、水では取れていなかった。
【００４０】
（３）抗菌性（除菌性）
上記（２）と同じ洗浄液を用意した。他方、黄色ブドウ球菌（NBRC12732）又は大腸菌（NBRC3972）を生菌数１０８個／ミリリットルに調製した菌液０．１ミリリットルを、前記洗浄液１０ミリリットルに添加して試験液とし、５分間静置した。その後、試験液１ミリリットルをＳＣＤＬＰブイヨン培地９ミリリットルで不活性化させ、混釈平板培養にて生菌数を測定した。また、蒸留水で同様の処理を行った。表２に示すとおり、本発明のトイレ用撥水性洗浄剤組成物を用いた場合（表２においては「トイレの撥水剤」と表記）、劇的に菌が減っていることがわかる。
【表２】
2017165829.tif 000003
【００４１】
≪実験例１≫
撥水剤及び溶剤の好適な濃度を検討すべく、下記の表３に示す処方でトイレ用撥水性洗浄剤組成物を調製し、上記と同様の撥水性の評価試験を行った。結果を表３に示した。
【表３】
2017165829.tif 000004
【００４２】
表３の結果から、トイレ便器内部に長期間の撥水効果をもたらす撥水剤の濃度としては概ね４．０重量％以上が好ましく、溶剤の濃度としては安定性の問題から概ね２３．０重量％以上が好ましいことがわかる。
【００４３】
≪実験例２≫
次に、除菌効果と発泡性の組み合わせについて検討すべく、下記の表４に示す処方でトイレ用撥水性洗浄剤組成物を調製し、上記と同様の抗菌性（除菌性）の評価試験を行った（大腸菌のみ）。発泡性については、各処方を上記の実験例１と同様の操作を行って目視にてトイレの水たまり部に泡が発生しているかを確認した。結果を表４に示した。
【表４】
2017165829.tif 000005
【００４４】
表４から、安定性の問題から、殺菌効果のある添加剤であるポリオクチルポリアミノエチルグリシンとの組合せによる相乗効果がより好ましいことがわかる。